(57)【要約】【課題】駆動電圧減の数を減らして製造費用を低減するプラズマ表示装置及びその駆動方法を提供する。【解決手段】本発明によるプラズマディスプレイ装置は、スキャン電極が形成されたプラズマディスプレイパネル400と、リセット期間中、前記スキャン電極に印加されるセットアップバイアス電圧とセットダウンパルス電圧、アドレス期間中、前記スキャン電極に印加されるスキャンパルス電圧、及びサステイン期間中、前記スキャン電極に印加されるサステインパルス電圧の各電圧を共通にする共通電圧源を備えるスキャン駆動部38を含むことを特徴とする。【選択図】図４
2006323343.tif 000002
【特許請求の範囲】
【請求項１】
スキャン電極が形成されたプラズマディスプレイパネルと、
リセット期間中、前記スキャン電極に印加されるセットアップバイアス電圧とセットダウンパルス電圧、アドレス期間中、前記スキャン電極に印加されるスキャンパルス電圧、及びサステイン期間中、前記スキャン電極に印加されるサステインパルス電圧の各電圧を共通にする共通電圧源を備えるスキャン駆動部とを含むことを特徴とするプラズマディスプレイ装置。
【請求項２】
前記スキャン駆動部は、
前記一端が接地された前記共通電圧源と、
前記共通電圧源と前記スキャン電極の間に接続され、前記サステインパルス電圧及び前記セットアップバイアス電圧を前記スキャン電極に供給するサステインパルス/セットアップバイアス供給部と、
前記サステインパルス/セットアップバイアス供給部と前記スキャン電極の間に接続され、前記セットダウンパルス電圧及び前記スキャンパルス電圧を前記スキャン電極に供給するセットダウンパルス/スキャンパルス供給部と、
前記サステインパルス/セットアップバイアス供給部と前記セットダウンパルス/スキャンパルス供給部の間に設置された第１スイッチとを含むことを特徴とする請求項１記載のプラズマ表示装置。
【請求項３】
前記サステインパルス/セットアップバイアス供給部の第１端子は、基底電圧源と前記サステインパルス/セットアップバイアス/セットダウンパルス/スキャンパルス共通電圧源の各負極性端子に共通に接続されて、
前記サステインパルス/セットアップバイアス供給部の第２端子は、前記サステインパルス/セットアップバイアス/セットダウンパルス/スキャンパルス共通電圧源の正極性端子に接続され、
前記サステインパルス/セットアップバイアス供給部の第３端子は、前記第１スイッチの一端に接続されることを特徴とする請求項２記載のプラズマ表示装置。
【請求項４】
前記セットダウンパルス/スキャンパルス供給部は、
前記共通電圧源によって充電される第１キャパシタと、
前記第１キャパシタに充電された電圧を前記セットダウンパルス電圧で変換し、この変換された電圧を前記スキャン電極に供給する第４スイッチと、
前記第１キャパシタに充電された電圧を前記スキャンパルス電圧で変換し、この変換された電圧を前記スキャン電極に供給する第５スイッチと、を含むことを特徴とする請求項２記載のプラズマ表示装置。
【請求項５】
前記第１キャパシタの一端は、前記第１スイッチの他端に接続され、前記第１キャパシタの他端は、前記サステインパルス/セットアップバイアス/セットダウンパルス/スキャンパルス共通電圧源の負極性端子に接続されることを特徴とする請求項４記載のプラズマ表示装置。
【請求項６】
前記第４スイッチの一端と前記第５スイッチの一端は、前記第１キャパシタの他端と共通に接続され、
前記第４スイッチの他端は、前記第５スイッチの他端に接続されることを特徴とする請求項４記載のプラズマ表示装置。
【請求項７】
前記サステインパルス/セットアップバイアス/セットダウンパルス/スキャンパルス共通電圧源の負極性端子と前記第１キャパシタの他端との間に接続される逆電流防止部をさらに含むことを特徴とする請求項４記載のプラズマ表示装置。
【請求項８】
前記逆電流防止部は第１ダイオードを含み、
前記第１ダイオードのアノード端子は前記第１キャパシタの他端と接続され、前記第１ダイオードのカソード端子は前記サステインパルス/セットアップバイアス/セットダウンパルス/スキャンパルス共通電圧源の負極性端子に接続されることを特徴とする請求項７記載のプラズマ表示装置
【請求項９】
前記共通電圧源は、前記スキャン電極に供給されるセットアップランプ電圧をさらに発生することを特徴とする請求項１記載のプラズマディスプレイ装置。
【請求項１０】
スキャン電極が形成されたプラズマディスプレイパネルと、
リセット期間中、前記スキャン電極に印加されるセットアップバイアス電圧とセットアップランプ電圧、サステイン期間中、前記スキャン電極に印加されるサステインパルス電圧の各電圧を共通にする共通電圧源を備えるスキャン駆動部を含むプラズマディスプレイ装置。
【請求項１１】
前記スキャン駆動部は、
一端が接地された前記共通電圧源と、
前記共通電圧源と前記スキャン電極の間に接続され、サステインパルス電圧及びセットアップバイアス電圧を前記スキャン電極に供給するサステインパルス/セットアップバイアス供給部と、
前記サステインパルス/セットアップバイアス供給部と前記スキャン電極の間に接続され、セットアップランプ電圧を前記スキャン電極に供給するセットアップランプ供給部と、
前記サステインパルス/セットアップバイアス供給部と前記スキャン電極の間に接続された第１スイッチと、を含むことを特徴とする請求項１０記載のプラズマ表示装置。
【請求項１２】
前記サステインパルス/セットアップバイアス供給部の第１端子は、基底電圧源と前記サステインパルス/セットアップバイアス/セットアップランプ共通電圧源の各負極性端子に共通に接続され、
前記サステインパルス/セットアップバイアス供給部の第２端子は、前記サステインパルス/セットアップバイアス/セットアップランプ共通電圧源の正極性端子と前記セットアップランプ供給部の第１端子に共通に接続され、
前記サステインパルス/セットアップバイアス供給部の第３端子は、前記セットアップランプ供給部の第２端子と前記第１スイッチの一端に共通に接続されることを特徴とする請求項１１記載のプラズマ表示装置。
【請求項１３】
前記セットアップランプ供給部は、前記サステインパルス/セットアップバイアス/セットアップランプ共通電圧源によって充電される第１キャパシタと、
前記第１キャパシタに充電された電圧を前記セットアップランプ電圧で変換し、この変換された電圧を前記スキャン電極に供給する第２スイッチと、を含むことを特徴とする請求項１１記載のプラズマ表示装置。
【請求項１４】
前記第１キャパシタの一端は、前記サステインパルス/セットアップバイアス/セットアップランプ共通電圧源の正極性端子と前記サステインパルス/セットアップバイアス供給部の第２端子に共通に接続され、
前記第１キャパシタの他端は、前記サステインパルス/セットアップバイアス供給部の第３端子と前記第１スイッチの一端に共通に接続されることを特徴とする請求項１３記載のプラズマ表示装置。
【請求項１５】
前記第２スイッチの一端は、前記サステインパルス/セットアップバイアス/セットアップランプ共通電圧源の正極性端子と前記サステインパルス/セットアップバイアス供給部の第２端子及び前記第１キャパシタの一端に共通に接続され、
前記第２スイッチの他端は、前記第１スイッチの他端に接続されることを特徴とする請求項１３記載のプラズマ表示装置。
【請求項１６】
前記サステインパルス/セットアップバイアス/セットアップランプ共通電圧源の正極性端子と前記第１キャパシタの一端との間に接続される逆電流防止部をさらに含むことを特徴とする請求項１３記載のプラズマ表示装置。
【請求項１７】
前記逆電流防止部は第１ダイオードを含み、
前記第１ダイオードのアノード端子は、前記サステインパルス/セットアップバイアス/セットアップランプ共通電圧源の正極性端子に接続され、前記第１ダイオードのカソード端子は、前記第１キャパシタの一端に接続されることを特徴とする請求項１６記載のプラズマ表示装置。
【請求項１８】
複数のサブフィールドがそれぞれリセット期間、アドレス期間、サステイン期間で分けられて駆動するプラズマディスプレイ装置の駆動方法において、
前記リセット期間のセットアップ期間中、セットアップバイアス電圧に急激に上昇した後、前記セットアップバイアス電圧と等しい電圧レベルを有するセットアップ電圧に漸進的に上昇するセットアップパルスをスキャン電極に供給し、
前記リセット期間のセットダウン期間中、前記セットアップバイアス電圧から、前記セットアップバイアス電圧と絶対値が等しいセットダウン電圧に漸進的に降下するセットダウンパルスを前記スキャン電極に供給することを特徴とするプラズマディスプレイ装置の駆動方法。
【請求項１９】
前記アドレス期間中、前記スキャン電極に印加されるスキャンパルスの絶対値電圧が前記セットアップバイアス電圧レベルに等しいことを特徴とする請求項１８記載のプラズマディスプレイ装置の駆動方法。
【請求項２０】
前記サステイン期間中、前記スキャン電極またはサステイン電極に印加されるサステインパルスの電圧は、前記セットアップバイアス電圧レベルに等しいことを特徴とする請求項１８記載のプラズマディスプレイ装置の駆動方法。
【発明の詳細な説明】
【技術分野】
【０００１】
本発明は、プラズマディスプレイ装置及びその駆動方法に関する。
【背景技術】
【０００２】
一般的にプラズマディスプレイパネル（以下、ＰＤＰという。）は、Ｈｅ＋Ｘｅ、Ｎｅ＋Ｘｅ、Ｈｅ＋Ｘｅ＋Ｎｅなどの不活性混合ガスが放電する時に発生する紫外線を利用して蛍光体を励起発光させることで画像を表示する。このような、ＰＤＰは、薄膜化と大型化が容易なだけでなく最近の技術開発に伴って画質が向上している。
【０００３】
図１は、プラズマディスプレイパネルで２５６階調を実現するための８ビートデフォルトコードのサブフィールドパターンを示す図である。
図１を参照すれば、 PDPは、画像の階調を実現するために１フレームを発光回数が異なる複数のサブフィールドに分けて、時分割駆動する。 各サブフィールドは、全画面を初期化させるためのリセット期間、 放電セルを選択するためのアドレス期間、及び放電回数によって階調を実現するサステイン期間に分けられる。例えば、２５６階調で画像を表示しようとする場合に、１／６０秒に該当するフレーム期間（１６．６７ｍｓ）は、８個のサブフィールド（ＳＦ１ ないし ＳＦ８）に分けられる。８個のサブフィールド（ＳＦ１乃至ＳＦ８）の各々は、前述のように、リセット期間（ＲＰ）、アドレス期間（ＡＰ）及びサステイン期間（ＳＰ） に分けられる。この時、各サブフィールドのリセット期間（ＲＰ）とアドレス期間（ＡＰ）は、各サブフィールド毎に同一であり、サステイン期間とそれに割り当てられるサステインパルスの数は、各サブフィールドで２n（ｎ＝０、１、２、３、４、５、６、７）の割合で増加する。
【０００４】
図２は、一般的なＰＤＰの駆動波形を示す図である。
図２を参照すれば、サブフィールド（ＳＦ）の各々は、全画面の放電セルを初期化するためのリセット期間（ＲＰ）、放電セルを選択するためのアドレス期間（ＡＰ）、及び選択された放電セルの放電を維持させるためのサステイン期間（ＳＰ）を含む。
【０００５】
リセット期間（ＲＰ）のセットアップ期間（ＳＵ）において、すべてのスキャン電極（Ｙ）に上昇ランプ波形（ＰＲ）が同時に印加される。この上昇ランプ波形（ＰＲ）によって、全画面のセル内には、微弱な放電（セットアップ放電）が起きるようになってセル内に壁電荷が生成される。セットダウン期間（ＳＤ）において、上昇ランプ波形（ＰＲ）が印加された後、上昇ランプ波形（ＰＲ）のピーク電圧（Ｖｓ＋Ｖｒ）より低い正極性のサステイン電圧（Ｖｓ）で負極性のスキャン電圧（−Ｖｙ）まで所定の傾きで降下する下降ランプ波形（ＮＲ）が、スキャン電極（Ｙ）に同時に印加される。下降ランプ波形（ＮＲ）は、セル内に微弱な消去放電を起こすことにより、セットアップ放電によって生成された壁電荷及び空間電荷の中で不要電荷を消去させ、全画面のセル内にアドレス放電に必要な壁電荷を均一に残留させる。
【０００６】
アドレス期間（ＡＰ）において、負極性のスキャンパルス（ＳＣＮＰ）がスキャン電極（Ｙ）に順に印加されると共にアドレス電極に正極性のデータパルス（ＤＰ）が印加される。 このスキャンパルス（ＳＣＮＰ）とデータパルス（ＤＰ）の電圧差に、リセット期間（ＲＰ）に生成された壁電圧を加えることによって、データパルス（ＤＰ）が印加されるセル内にアドレス放電が発生する。 アドレス放電によって選択されたセル内には、壁電荷が生成される。
【０００７】
一方、セットダウン期間（ＳＤ）とアドレス期間（ＡＰ）の間、正極性（＋）のサステイン電圧（Ｖｓ）が、サステイン電極（Ｚ）に印加される。
サステイン期間（ＳＰ）において、サステインパルス（ＳＵＳＰ）が、スキャン電極（Ｙ）とサステイン電極（Ｚ）に交番的に印加される。そして、セル内の壁電圧とサステインパルス（ＳＵＳＰ）がアドレス放電によって選択されたセルに加わるので、サステインパルス（ＳＵＳＰ）が印加される度ごとに、サステイン放電が、面放電形態でスキャン電極（Ｙ）とサステイン電極（Ｚ）の間に起きる。ここで、サステインパルス（ＳＵＳＰ）は、サステイン電圧（Ｖｓ）と等しい電圧値を有する。
【０００８】
このようなＰＤＰの駆動波形の中でスキャン電極（Ｙ）に供給されるスキャン駆動波形は、図３に示すプラズマディスプレイパネルのスキャン駆動部によって実現される。
図３は、従来ＰＤＰのスキャン駆動部を示す図である。
図３を参照すれば、従来のスキャン駆動部は、サステインパルス/セットアップバイアス共通電圧源（Ｖｓ）、サステインパルス/セットアップバイアス供給部３１、セットアップランプ供給部３２、セットダウン/スキャン電圧供給部３３、スキャン基準電圧供給部３４、 スキャン集積回路３５（以下 、ＩＣという。）、第１スイッチ(Ｓ１)、及び第３スイッチ(Ｓ３)を含んでいる。
【０００９】
サステインパルス/セットアップバイアス共通電圧源（Ｖｓ）は、セットアップ期間（ＳＵ）の間、スキャン電極（Ｙ）に印加されるセットアップバイアス電圧（Ｖｓ）の電圧源であり、サステイン期間（ＳＰ）の間、スキャン電極（Ｙ）に印加されるサステインパルス（ＳＵＳＰ）の電圧源である。
【００１０】
サステインパルス/セットアップバイアス供給部３１は、サステインパルス/セットアップバイアス共通電圧源（Ｖｓ）から供給を受けた電圧を利用して複数のスイチング素子を操作することで、セットアップ期間（ＳＵ）の間、スキャン電極（Ｙ）にセットアップバイアス電圧（Ｖｓ）を供給する一方、サステイン期間（ＳＰ）の間、スキャン電極（Ｙ）にサステインパルス（ＳＵＳＰ）を供給する。
【００１１】
セットアップランプ供給部３２は、セットアップランプ電圧源（Ｖｒ）と第２スイッチ（Ｓ２）を含む。セットアップランプ電圧源（Ｖｒ）の負極性端子は、サステインパルス/セットアップバイアス供給部３１に接続され、そして、セットアップランプ電圧源（Ｖｒ）の正極性端子は、第２スイッチ（Ｓ２）に接続される。
【００１２】
このようなセットアップランプ供給部３２は、セットアップ期間（ＳＵ）の間、サステインパルス/セットアップバイアス供給部３１から、サステインパルス/セットアップバイアス供給部３１と第２スイッチ（Ｓ２）との間に接続された第１スイッチ（Ｓ１）を通って、セットアップバイアス電圧（Ｖｓ）が第１ノード（ｎ１）に供給されるとき、第２スイッチ（Ｓ２）をターンオンさせて第１ノード（ｎ１）にセットアップランプ電圧（Ｖｒ）を供給する。したがって、第１ノード（ｎ１）には、セットアップバイアス電圧（Ｖｓ）にセットアップランプ電圧（Ｖｒ）を加えたセットアップ電圧（Ｖｓ＋Ｖｒ）が供給される。
【００１３】
セットダウン/スキャン電圧供給部３３は、セットダウン/スキャン電圧源（Ｖｙ）、第４スイッチ（Ｓ４）、及び第５スイッチ（Ｓ５）を含んでいる。セットダウン/スキャン電圧源（Ｖｙ）の正極性端子は、第１ノード（ｎ１）に接続され、セットダウン/スキャン電圧源（Ｖｙ）の負極性端子は、第４スイッチ（Ｓ４）と第５スイッチ（Ｓ５）に共通に接続される。
【００１４】
このようなセットダウン/スキャン電圧供給部３３は、スキャン電極（Ｙ）に対して、セットダウン期間（ＳＤ）の間、第４スイッチ（Ｓ４）を通じて、セットダウン電圧（−Ｖｙ）まで漸進的に降下するセットダウンパルスを第２ノード（ｎ２）に供給し、さらに、アドレス期間（ＡＰ）の間、第５スイッチ（Ｓ５）を通じて、負極性のスキャンパルス（ＳＣＮＰ）を第２ノード（ｎ２）に供給する。
【００１５】
スキャン基準電圧供給部３４は、負極性端子が第２ノード（ｎ２）に接続されたスキャン基準電圧源（Ｖｓｃ）と、一端がスキャン基準電圧源（Ｖｓｃ）の正極性端子に接続された第６スイッチ（Ｓ６）と、一端が第６スイッチ（Ｓ６）の他端に接続されてこの他端が第２ノード（ｎ２）に接続された第７スイッチ（Ｓ７）とを含んでいる。第６スイッチ（Ｓ６）と第７スイッチ（Ｓ７）は、アドレス期間（ＡＰ）の間、タイミングコントローラから供給される制御信号によって切り換えられながらスキャン基準電圧源（Ｖｓｃ）の電圧を後述するスキャンＩＣ３５に供給する。
【００１６】
スキャンＩＣ３５は、プッシュプル形式で接続されており、サステインパルス/セットアップバイアス供給部３１、セットアップランプ供給部３２、セットダウン/スキャン電圧供給部３３、 及びスキャン基準電圧供給部３４からそれぞれ供給される各種駆動信号をスキャン電極（Ｙ）に供給している第８スイッチ（Ｓ８）と第９スイッチ（Ｓ９）から構成されている。第８スイッチ（Ｓ８）と第９スイッチ（Ｓ９）の間の出力ラインは、スキャン電極ラインの間のいずれか一つに接続される。
【００１７】
一方、図３に示すように、従来ＰＤＰのスキャン駆動部は、セットアップ波形を実現するためにセットアップバイアス電圧を供給するサステインパルス/セットアップバイアス共通電圧源（Ｖｓ）、 セットアップランプ電圧を供給するセットアップランプ電圧源（Ｖｒ）、セットダウンパルス電圧及びスキャンパルス電圧を供給するセットダウンパルス/スキャンパルス電圧源（Ｖｙ)の三種類の電圧源を分離して使っている。
【００１８】
サステインパルス電圧、セットアップバイアス電圧、セットアップランプ電圧、セットダウンパルス電圧及びスキャンパルス電圧の絶対値レベルが似ている点、電圧源が相当な高価という点を考慮する時、 従来のようにセットアップバイアス電圧を供給するサステインパルス/セットアップバイアス共通電圧源（Ｖｓ）、セットアップランプ電圧を供給するセットアップランプ電圧源（Ｖｒ）、セットダウンパルス電圧及びスキャンパルス電圧を供給するセットダウンパルス/スキャンパルス電圧源（Ｖｙ)を別に使うことはプラズマ表示装置の製造費用を上昇させるという問題点がある。
【発明の開示】
【発明が解決しようとする課題】
【００１９】
本発明の目的は、駆動電圧源の数を減らして製造費用を低減するプラズマディスプレイ装置及びその駆動方法を提供することにある。
【課題を解決するための手段】
【００２０】
本発明によるプラズマディスプレイ装置は、スキャン電極を含むプラズマディスプレイパネルと、このプラズマディスプレイパネルのスキャン電極に供給される複数の駆動電圧の中で、サステインパルス電圧、セットアップバイアス電圧、セットダウンパルス電圧、及びスキャンパルス電圧を供給する電圧源を共通にするスキャン駆動部を含むことを特徴とする。
【００２１】
本発明による他のプラズマディスプレイ装置は、プラズマディスプレイパネルと、このプラズマディスプレイパネルのスキャン電極に供給される複数の駆動電圧の中で、サステインパルス電圧、セットアップバイアス電圧、及びセットアップランプ電圧を供給する電圧源を共通にするスキャン駆動部を含むことを特徴とする。
【００２２】
本発明によるプラズマディスプレイ装置の駆動方法は、複数のサブフィールドをそれぞれリセット期間、アドレス期間、サステイン期間に分けて駆動する時、前記リセット期間のセットアップ期間中、セットアップバイアス電圧で急激に上昇した後、前記セットアップバイアス電圧と等しい電圧レベルを有するセットアップ電圧で漸進的に上昇するセットアップパルスをスキャン電極に供給し、 前記リセット期間のセットダウン期間中、前記セットアップバイアス電圧で前記セットアップバイアス電圧と絶対値が等しいセットダウン電圧で漸進的に降下するセットダウンパルスを前記スキャン電極に供給することを特徴とする。
【００２３】
本発明によるプラズマディスプレイ装置は、スキャン電極が形成されたプラズマディスプレイパネルと、リセット期間中、前記スキャン電極に印加されるセットアップバイアス電圧とセットダウンパルス電圧、アドレス期間中、前記スキャン電極に印加されるスキャンパルス電圧、及びサステイン期間中、前記スキャン電極に印加されるサステインパルス電圧の各電圧を共通にする共通電圧源を備えるスキャン駆動部とを含む。
【００２４】
前記スキャン駆動部は、前記一端が接地された前記共通電圧源と、この共通電圧源と前記スキャン電極の間に接続されて前記スキャン電極に前記サステインパルス電圧及び前記セットアップバイアス電圧を供給するサステインパルス/セットアップバイアス供給部と、前記サステインパルス/セットアップバイアス供給部と前記スキャン電極の間に接続されて前記スキャン電極に前記セットダウンパルス電圧及び前記スキャンパルス電圧を供給するセットダウンパルス/スキャンパルス供給部と、前記サステインパルス/セットアップバイアス供給部と前記セットダウンパルス/スキャンパルス供給部の間に接続された第１スイッチと、を含むことを特徴とする。
【００２５】
前記サステインパルス/セットアップバイアス供給部の第１端子は、基底電圧源と前記サステインパルス/セットアップバイアス/セットダウンパルス/スキャンパルス共通電圧源の各負極性端子に共通に接続され、前記サステインパルス/セットアップバイアス供給部の第２端子は、前記サステインパルス/セットアップバイアス/セットダウンパルス/スキャンパルス共通電圧源の正極性端子に接続され、前記サステインパルス/セットアップバイアス供給部の第３端子は、前記第１スイッチの一端に接続されることを特徴とする。
【００２６】
前記セットダウンパルス/スキャンパルス供給部は、前記共通電圧源によって充電される第１キャパシタと、前記第１キャパシタに充電された電圧を前記セットダウンパルス電圧で変換してこの変換された電圧を前記スキャン電極に供給する第４スイッチと、前記第１キャパシタに充電された電圧を前記スキャンパルス電圧で変換して前記スキャン電極に供給する第５スイッチとを含むことを特徴とする。
【００２７】
前記第１キャパシタの一端は、前記第１スイッチの他端と接続され、前記第１キャパシタの他端は、前記サステインパルス/セットアップバイアス/セットダウンパルス/スキャンパルス共通電圧源の負極性端子に接続されたことを特徴とする。
前記第４スイッチの一端と前記第５スイッチの一端は前記第１キャパシタの他端と共通に接続されて、前記第４スイッチの他端は前記第５スイッチの他端と接続されたことを特徴とする。
【００２８】
前記サステインパルス/セットアップバイアス/セットダウンパルス/スキャンパルス共通電圧源の負極性端子と前記第１キャパシタの他端との間に接続された逆電流防止部をさらに含むことを特徴とする。
【００２９】
前記逆電流防止部は第１ダイオードを含み、前記第１ダイオードのアノード端子は、前記第１キャパシタの他端と接続され、前記第１ダイオードのカソード端子は、前記サステインパルス/セットアップバイアス/セットダウンパルス/スキャンパルス共通電圧源の負極性端子に接続されたことを特徴とする。
前記共通電圧源は、前記スキャン電極に供給されるセットアップランプ電圧をさらに発生することを特徴とする。
【００３０】
前記スキャン駆動部は、一端が接地された前記共通電圧源と、前記共通電圧源と前記スキャン電極の間に接続され、サステインパルス電圧及びセットアップバイアス電圧を前記スキャン電極に供給するサステインパルス/セットアップバイアス供給部と、前記サステインパルス/セットアップバイアス供給部と前記スキャン電極の間に接続され、セットアップランプ電圧を前記スキャン電極に供給するセットアップランプ供給部と、前記サステインパルス/セットアップバイアス供給部と前記スキャン電極の間に接続される第１スイッチと、を含むことを特徴とする。
【００３１】
前記サステインパルス/セットアップバイアス供給部の第１端子は、基底電圧源と前記サステインパルス/セットアップバイアス/セットアップランプ共通電圧源の各負極性端子に共通に接続され、前記サステインパルス/セットアップバイアス供給部の第２端子は、前記サステインパルス/セットアップバイアス/セットアップランプ共通電圧源の正極性端子と前記セットアップランプ供給部の第１端子と共通に接続され、前記サステインパルス/セットアップバイアス供給部の第３端子は、前記セットアップランプ供給部の第２端子と前記第１スイッチの一端子に共通に接続されることを特徴とする。
【００３２】
前記セットアップランプ供給部は、前記サステインパルス/セットアップバイアス/セットアップランプ共通電圧源によって充電される第１キャパシタと、 前記第１キャパシタに充電された電圧を前記セットアップランプ電圧で変換し、この変換された電圧を前記スキャン電極に供給する第２スイッチとを含むことを特徴とする。
【００３３】
前記第１キャパシタの一端は、前記サステインパルス/セットアップバイアス/セットアップランプ共通電圧源の正極性端子と前記サステインパルス/セットアップバイアス供給部の第２端子と共通に接続されて、前記第１キャパシタの他端は、前記サステインパルス/セットアップバイアス供給部の第３端子と前記第１スイッチの一端に共通に接続されることを特徴とする。
【００３４】
前記第２スイッチの一端は、前記サステインパルス/セットアップバイアス/セットアップランプ共通電圧源の正極性端子と前記サステインパルス/セットアップバイアス供給部の第２端子及び前記第１キャパシタの一端に共通に接続され、 前記第２スイッチの他端は前記第１スイッチの他端に接続されることを特徴とする。
【００３５】
前記サステインパルス/セットアップバイアス/セットアップランプ共通電圧源の正極性端子と前記第１キャパシタの一端との間に接続される逆電流防止部をさらに含むことを特徴とする。
【００３６】
前記逆電流防止部は第１ダイオードを含み、 前記第１ダイオードのアノード端子は、前記サステインパルス/セットアップバイアス/セットアップランプ共通電圧源の正極性端子に接続され、 前記第１ダイオードのカソード端子は、前記第１キャパシタの一端に接続されることを特徴とする。
【００３７】
本発明によるプラズマディスプレイ装置の駆動方法は、複数のサブフィールドがそれぞれリセット期間、アドレス期間、サステイン期間で分けられ、前記リセット期間のセットアップ期間中、セットアップバイアス電圧に急激に上昇した後、 前記セットアップバイアス電圧と等しい電圧レベルを有するセットアップ電圧に漸進的に上昇するセットアップパルスをスキャン電極に供給し、前記リセット期間のセットダウン期間中、前記セットアップバイアス電圧から、前記セットアップバイアス電圧と絶対値が等しいセットダウン電圧に漸進的に降下するセットダウンパルスを前記スキャン電極に供給することを特徴とする。
【００３８】
前記アドレス期間中、前記スキャン電極に印加されるスキャンパルスの絶対値電圧が前記セットアップバイアス電圧レベルと等しいことを特徴とする。
前記サステイン期間中、前記スキャン電極またはサステイン電極に印加されるサステインパルスの電圧は、前記セットアップバイアス電圧レベルと等しいことを特徴とする。
【発明の効果】
【００３９】
本発明は、プラズマディスプレイパネルのスキャン電極に供給される複数の駆動電圧の中で、サステインパルス電圧、セットアップバイアス電圧、セットアップランプ電圧、セットダウンパルス電圧及びスキャンパルス電圧を供給する電圧源を少なくとも２つ以上共通にして駆動電圧源の数を減らすことにより、製造費用を低減することができる。
【発明を実施するための最良の形態】
【００４０】
以下、 添付された図面を参照して本発明によるプラズマディスプレイ装置及びその駆動方法について詳しく説明する。
【００４１】
図４は、本発明の実施形態によるプラズマ表示装置を示す図である。
図４に示すように、 本発明の実施形態によるプラズマ表示装置は、画像を表示するためのＰＤＰ４００、アドレス電極（Ｘ１乃至Ｘｍ）にデータを供給するためのデータ駆動部３６、スキャン電極（Ｙ１乃至Ｙｎ）を駆動するためのスキャン駆動部３８、サステイン電極（Ｚ）を駆動するためのサステイン駆動部４０、各駆動部（３６、３８、４０）を制御するためのタイミングコントローラ４２及び各駆動部（３６、３８、４０）に必要な駆動電圧を供給するための駆動電圧発生部４４を備えている。
【００４２】
このようなプラズマディスプレイ装置は、１フレームが複数のサブフィールドで構成されて、複数のサブフィールドは、それぞれリセット期間、アドレス期間、サステイン期間で分けられて駆動される。
【００４３】
先ず、ＰＤＰ４００は、スキャン電極（Ｙ１乃至Ｙｎ）及びサステイン電極（Ｚ）が形成された上板とアドレス電極（Ｘ１乃至Ｘｍ）が形成された下板からなる。上板には、壁電荷を蓄積するための上部誘電体層（図示せず）と、プラズマ放電の時にスパッタリングによる上部誘電体層の損傷を保護するための保護膜（図示せず）とが、スキャン電極（Ｙ１乃至Ｙｎ）及びサステイン電極（Ｚ） 上に積層される。そして、下板には、壁電荷を蓄積するための下部誘電体層（図示せず）が、アドレス電極（Ｘ１乃至Ｘｍ）の下部に形成される。このようなＰＤＰ４００は、スキャン電極（Ｙ１乃至Ｙｎ）、サステイン電極（Ｚ）及びアドレス電極（Ｘ１乃至Ｘｍ）が交差される領域に、放電セル４５が形成される。この時、各放電セル４５は、下板に形成された隔壁（図示せず）によって分離され、その内部に、赤色、緑色及び青色蛍光体が塗布される。
【００４４】
このようなＰＤＰ４００は、アドレス電極（Ｘ１乃至Ｘｍ）とスキャン電極（Ｙ１乃至Ｙｎ）に供給されるデータパルス（ＤＰ）及びスキャンパルス（ＳＣＮＰ）によって、放電セル４５が選択され、スキャン電極（Ｙ１乃至Ｙｎ）及びサステイン電極（Ｚ）に供給されるサステインパルス（ＳＵＳＰ）によって、サステイン放電を維持する。 これによって、 放電セル４５では、サステイン放電の時に発生する紫外線によって放電セル４５内部に塗布された蛍光体が発光し、可視光を放出することにより画像を表示する。
【００４５】
データ駆動部３６は、タイミングコントローラ４２から供給されるタイミング制御信号（Ｃｘ）に応答して、データをサンプリングし、ラッチした後、そのデータのデータ電圧（Ｖａ）をアドレス電極（Ｘ１乃至Ｘｍ）に供給する。
スキャン駆動部３８は、図８、図９、図１０にそれぞれ示すように多様な形態でスキャン電極に駆動波形を供給する。
【００４６】
先ず、図８で見るように、スキャン駆動部３８は、接地電圧からスキャンバイアス電圧（Ｖｓ）に急激に上昇した後、セットアップランプ電圧（Ｖｒ）をスキャンバイアス電圧（Ｖｓ）に加えて、セットアップ電圧（Ｖｓ＋Ｖｒ）に漸進的に上昇するセットアップパルス（ＰＲ）と、セットアップバイアス電圧（Ｖｓ）からセットダウン電圧（−Ｖｓ）に漸進的に降下するセットダウンパルス（ＮＲ）と、を含むリセットパルス（ＰＲ、ＮＲ）をスキャン電極（Ｙ１乃至Ｙｎ）に供給する。
【００４７】
また、アドレス期間（ＡＰ）の間、スキャン基準電圧（Ｖｓｃ）をスキャン電極（Ｙ１乃至Ｙｎ）に供給すると共に、負極性のスキャン電圧（−Ｖｓ）値を有するスキャンパルス（ＳＣＮＰ）をスキャン電極（Ｙ１乃至Ｙｎ）に順に供給する。
【００４８】
また、サステイン期間（ＳＰ）の間、サステイン電圧レベル（Ｖｓ）及びアース電圧レベル(ＧＮＤ）を有するサステインパルス（ＳＵＳＰ）をスキャン電極（Ｙ１乃至Ｙｎ）に供給する。
【００４９】
また、図９で見るように、スキャン駆動部３８は、タイミングコントローラから供給されるタイミング制御信号（Ｃｙ）に応答してリセット期間（ＲＰ）の間、接地電圧からセットアップバイアス電圧（Ｖｓ）に急激に上昇した後、セットアップ電圧（２Ｖｓ）に漸進的に上昇するセットアップパルス（ＰＲ）を含むリセットパルス（ＰＲ、ＮＲ）をスキャン電極（Ｙ１乃至Ｙｎ）に供給する。
【００５０】
また、アドレス期間（ＡＰ）の間、スキャン基準電圧（Ｖｓｃ）をスキャン電極（Ｙ１乃至Ｙｎ）に供給すると共に、負極性のスキャン電圧（−Ｖｙ）値を有するスキャンパルス（ＳＣＮＰ）をスキャン電極（Ｙ１乃至Ｙｎ）に順に供給する。
【００５１】
また、サステイン期間（ＳＰ）の間、サステイン電圧レベル（Ｖｓ） 及びアース電圧レベル(ＧＮＤ）を有するサステインパルス（ＳＵＳＰ）をスキャン電極（Ｙ１乃至Ｙｎ）に供給する。
【００５２】
また、図１０で見るように、スキャン駆動部３８は、タイミングコントローラ４２から供給されるタイミング制御信号（Ｃｙ）に応答して、リセット期間（ＲＰ）の間、図６に示すように、接地電圧からセットアップバイアス電圧（Ｖｓ）に急激に上昇した後、セットアップ電圧（２Ｖｓ）に漸進的に上昇するセットアップパルス（ＰＲ）と、セットアップバイアス電圧（Ｖｓ）からセットダウン電圧（−Ｖｓ）に漸進的に降下するセットダウンパルス（ＮＲ）を含むリセットパルス（ＰＲ、ＮＲ）とをスキャン電極（Ｙ１乃至Ｙｎ）に供給する。
【００５３】
また、 アドレス期間（ＡＰ）の間、スキャン基準電圧（Ｖｓｃ）をスキャン電極（Ｙ１乃至Ｙｎ）に供給すると共に、負極性のスキャンパルス電圧（−Ｖｓ）値を有するスキャンパルス（ＳＣＮＰ）をスキャン電極（Ｙ１乃至Ｙｎ）に順に供給する。
【００５４】
また、サステイン期間（ＳＰ）の間、サステイン電圧レベル（Ｖｓ） 及びアース電圧レベル(ＧＮＤ）を有するサステインパルス（ＳＵＳＰ）をスキャン電極（Ｙ１乃至Ｙｎ）に供給する
サステイン駆動部４０は、タイミングコントローラ４２から供給されるタイミング制御信号（Ｃｚ）に応答してセットダウン期間（ＳＤ）とアドレス期間（ＡＰ）の間、サステイン電極（Ｚ）に正極性のサステイン電圧（Ｖｓ）を供給した後、サステイン期間（ＳＰ）の間、スキャン駆動部３８と交互に動作してサステイン電圧レベル（Ｖｓ）及びアース電圧レベル(ＧＮＤ）を有するサステインパルス（ＳＵＳＰ）をサステイン電極（Ｚ）に供給する。
【００５５】
タイミングコントローラ４２は、垂直/水平同期信号とクロック信号の入力を受けて各駆動部（３６、３８、４０）に必要なタイミング制御信号（Ｃｘ、Ｃｙ、Ｃｚ）を発生し、そのタイミング制御信号（Ｃｘ、Ｃｙ、Ｃｚ）を当該の駆動部（３６、３８、４０）に供給することで各駆動部（３６、３８、４０）を制御する。この時、タイミング制御信号（Ｃｘ）には、データをサンプリングするためのサンプリングクロック、ラッチ制御信号、駆動スイッチ素子のオン/オフ時間を制御するためのスイッチ制御信号が含まれる。また、タイミング制御信号（Ｃｙ）には、スキャン駆動部３８内の駆動スイッチ素子のオン/オフ時間を制御するためのスイッチ制御信号が含まれる。そして、タイミング制御信号（Ｃｚ）には、サステイン駆動部４０内の駆動スイッチ素子のオン/オフ時間を制御するためのスイッチ制御信号が含まれる。
【００５６】
駆動電圧発生部４４は、サステインパルス/セットアップバイアス/セットダウンパルス/スキャンパルス共通電圧（Ｖｓ）、セットアップランプ電圧（Ｖｒ）、直流のスキャン基準電圧（Ｖｓｃ）及びデータ電圧（Ｖａ）などを発生して、データ駆動部３６、スキャン駆動部３８及びサステイン駆動部４０に供給する。
【００５７】
以下では、本発明によるプラズマ表示装置のスキャン駆動部３８をより詳しく説明する。
図５は、本発明のプラズマ表示装置における一つの実施形態によるスキャン駆動部を示す図である。
【００５８】
図５に示すように、本発明によるプラズマ表示装置のスキャン駆動部３８は、一端が接地されたサステインパルス/セットアップバイアス/セットダウンパルス/スキャンパルス共通電圧源（Ｖｓ）、サステインパルス/セットアップバイアス/セットダウンパルス/スキャンパルス共通電圧源（Ｖｓ）とスキャン電極（Ｙ）の間に接続されたサステインパルス/セットアップバイアス供給部５１、サステインパルス/セットアップバイアス供給部５１とスキャン電極（Ｙ）の間に接続されたセットアップランプ供給部５２、サステインパルス/セットアップバイアス供給部５１とスキャン電極（Ｙ） の間に接続された第１スイッチ（Ｓ１）、 第１スイッチ（Ｓ１）とスキャン電極（Ｙ）の間に接続された第３スイッチ（Ｓ３）とセットダウンパルス/スキャンパルス供給部５３、 セットダウンパルス/スキャンパルス供給部５３とスキャン電極（Ｙ）の間に接続されたスキャン基準電圧供給部５４、及びスキャン基準電圧供給部５４とスキャン電極（Ｙ）の間に接続されたスキャンＩＣ５５を含む。
【００５９】
サステインパルス/セットアップバイアス/セットダウンパルス/スキャンパルス共通電圧源（Ｖｓ）は、セットアップ期間（ＳＵ）の間、スキャン電極（Ｙ）に印加されるセットアップバイアス電圧（Ｖｓ）と、セットダウン期間（ＳＤ）の間、スキャン電極（Ｙ）に印加されるセットダウンパルス電圧（−Ｖｓ）と、アドレス期間（ＡＤ）の間、スキャン電極（Ｙ）に印加されるスキャンパルス電圧（−Ｖｓ）と、サステイン期間（ＳＰ）の間スキャン電極（Ｙ）に印加されるサステインパルス電圧の（Ｖｓ）の電圧源である。
【００６０】
サステインパルス/セットアップバイアス供給部５１の第１端子が、基底電圧源とサステインパルス/セットアップバイアス/セットダウンパルス/スキャンパルス共通電圧源（Ｖｓ）の各負極性端子に共通に接続され、サステインパルス/セットアップバイアス供給部５１の第２端子が、サステインパルス/セットアップバイアス/セットダウンパルス/スキャンパルス共通電圧源（Ｖｓ）の正極性端子に接続され、サステインパルス/セットアップバイアス供給部５１の第３端子が、第１スイッチ（Ｓ１）の一端に接続されている。
【００６１】
このようなサステインパルス/セットアップバイアス供給部５１は、サステインパルス/セットアップバイアス/セットダウンパルス/スキャンパルス共通電圧源（Ｖｓ）から供給受けた電圧を利用して複数のスイチング素子を操作することで、セットアップ期間（ＳＵ）の間、セットアップバイアス電圧（Ｖｓ）を、また、サステイン期間（ＳＰ）の間、サステインパルス電圧（Ｖｓ）をそれぞれスキャン電極（Ｙ）に供給する。
【００６２】
セットアップランプ供給部５２は、セットアップランプ電圧源（Ｖｒ）と第２スイッチ（Ｓ２）を含む。セットアップランプ電圧源（Ｖｒ）の正極性端子は、第２スイッチ（Ｓ２）の一端に接続され、セットアップランプ電圧源（Ｖｒ）の負極性端子は、サステインパルス/セットアップバイアス供給部５１の第３端と第１スイッチ（Ｓ１）の一端とに共通に接続される。また、第１スイッチ（Ｓ１）の他端が、第２スイッチ（Ｓ２）の他端に接続される。このようなセットアップランプ供給部５２は、セットアップ期間（ＳＵ）の間、サステインパルス/セットアップバイアス供給部５１から第１スイッチ（Ｓ１）と第２スイッチ（Ｓ２）の接続地点である第１ノード（ｎ１）に、セットアップバイアス電圧（Ｖｓ）が供給されると、第２スイッチをターンオンさせてセットアップランプ電圧源（Ｖｒ）から供給受けた電圧を漸進的に上昇するセットアップランプ電圧（Ｖｒ）に変換し、この変換された電圧が第１ノード（ｎ１）に供給される。その結果、第１ノード（ｎ１）には、セットアップバイアス電圧とセットアップランプ電圧が加わったセットアップ電圧が供給されるのである。
【００６３】
一方、セットアップランプ電圧を実現する手段で第２スイッチ（Ｓ２）に電界効果ダイオード（ＦＥＴ）を採用して第２スイッチ（Ｓ２）のゲート端子に可変抵抗を接続する方法を講ずることができる。
【００６４】
セットダウンパルス/スキャンパルス供給部５３は、サステインパルス/セットアップバイアス/セットダウンパルス/スキャンパルス共通電圧源（Ｖｓ）から電源の供給を受けて充電される第１キャパシタ（Ｃ１）と、第１キャパシタ（Ｃ１）に充電された電圧を漸進的に降下するセットダウンパルス電圧に変換してスキャン電極（Ｙ）に供給する第４スイッチ（Ｓ４） と、第１キャパシタ（Ｃ１）に充電された電圧を利用してスキャンパルス電圧をスキャン電極（Ｙ）に供給する第５スイッチ（Ｓ５）とを含む。
【００６５】
第１キャパシタ（Ｃ１）の一端は、第１スイッチ（Ｓ１）の他端に接続され、第１キャパシタの他端（Ｃ１）は、サステインパルス/セットアップバイアス/セットダウンパルス/スキャンパルス共通電圧源（Ｖｓ）の負極性端子に接続される。第４スイッチ（Ｓ４）の一端と第５スイッチ（Ｓ５）の一端は、第１キャパシタ（Ｃ１）の他端に共通に接続され、 第４スイッチ（Ｓ４）の他端は、第５スイッチ（Ｓ５）の他端に接続される。
【００６６】
このようなセットダウンパルス/スキャンパルス供給部５３の作動原理を詳しく説明すれば、次のようである。
セットダウン期間（ＳＤ）の間、サステインパルス/セットアップバイアス供給部５１内のスイチング操作により、サステインパルス/セットアップバイアス供給部５１の第２端と第３端が電気的に接続されて、サステインパルス/セットアップバイアス/セットダウンパルス/スキャンパルスの共通電圧源（Ｖｓ）、第１スイッチ（Ｓ１）の内部ダイオード、第１キャパシタ（Ｃ１）、及びサステインパルス/セットアップバイアス/セットダウンパルス/スキャンパルス共通電圧源（Ｖｓ）を連結するループが形成されると、第１キャパシタ（Ｃ１）の両端は、Ｖｓレベルに充電される。
【００６７】
第１キャパシタ（Ｃ１）の両端をＶｓレベルに充電した後、一端が第１キャパシタ（Ｃ１）の他端、すなわち、第１キャパシタ（Ｃ１）の負極性端子に接続された第４スイッチ（Ｓ４）をターンオンさせる。
【００６８】
第４スイッチ（Ｓ４）がターンオンされると、第１キャパシタ（Ｃ１）に充電されていたＶｓレベルの電圧が、第４スイッチ（Ｓ４）によって漸進的に降下するセットダウンパルス電圧に変換されて第２ノード（ｎ２）に供給される。セットダウンパルス電圧を実現する手段である第４スイッチ（Ｓ４）によって電界効果ダイオード（ＦＥＴ）を採用して第４スイッチ（Ｓ４）のゲート端子に可変抵抗を連結する方法を講ずることができる。
【００６９】
一方、アドレス期間（ＡＤ)の間、第５スイッチをターンオンさせると、第５スイッチ（Ｓ５）を通じて−Ｖｓレベルのスキャンパルス電圧が第２ノード（ｎ２）に供給される。
セットダウンパルス/スキャンパルス供給部５３は、サステインパルス/セットアップバイアス/セットダウンパルス/スキャンパルスの共通電圧源（Ｖｓ）の負極性端子と第１キャパシタ（Ｃ１）の他端との間に接続された逆電流防止部をさらに含むのが望ましい。
【００７０】
逆電流防止部は、第１ダイオード（Ｄ１）を含み、第１ダイオード（Ｄ１）のアノード端子を第１キャパシタ（Ｃ１）の他端と接続させ、第１ダイオード（Ｄ１）のカソード端子をサステインパルス/セットアップバイアス/セットダウンパルス/スキャンパルスの共通電圧源（Ｖｓ）の負極性端子に接続させることによって、逆電流の流れを遮断することができる。
【００７１】
スキャン基準電圧供給部５４は、負極性端子が第２ノード（ｎ２）に接続されたスキャン基準電圧源（Ｖｓｃ）と、一端がスキャン基準電圧源（Ｖｓｃ）の正極性端子に接続された第６スイッチ（Ｓ６）と、一端が第６スイッチ（Ｓ６）の他端に接続されかつ他端が第２ノード（ｎ２）に接続された第７スイッチ（Ｓ７）とを含む。 第６スイッチ（Ｓ６）と第７スイッチ（Ｓ７）は、アドレス期間（ＡＰ）の間、タイミングコントローラから供給される制御信号によって切り換えられながら、スキャン基準電圧源（Ｖｓｃ）の電圧を後述するスキャンＩＣ５５に供給する。
【００７２】
スキャンＩＣ５５は、プッシュプル形式で接続されており、サステインパルス/セットアップバイアス供給部５１、 セットアップランプ供給部５２、 セットダウン/スキャン電圧供給部５３、 およびスキャン基準電圧供給部５４からそれぞれ供給される各種駆動信号をスキャン電極（Ｙ）に供給する第８スイッチ（Ｓ８）と第９スイッチ（Ｓ９）で構成される。第８スイッチ（Ｓ８）と第９スイッチ（Ｓ９）の間の出力ラインは、スキャン電極ライン中のいずれか1つに接続される。
【００７３】
図６は、本発明のプラズマ表示装置の一つの実施形態による他のスキャン駆動部を示す図である。
図６に示すように、 本発明によるプラズマ表示装置のスキャン駆動部３８は、一端が接地されたサステインパルス/セットアップバイアス/セットアップランプ共通電圧源（Ｖｓ）、 サステインパルス/セットアップバイアス/セットアップランプ共通電圧源（Ｖｓ）とスキャン電極（Ｙ） の間に接続されたサステインパルス/セットアップバイアス供給部６１、 サステインパルス/セットアップバイアス供給部６１とスキャン電極（Ｙ）の間に接続されたセットアップランプ供給部６２、サステインパルス/セットアップバイアス供給部６１とスキャン電極（Ｙ）の間に接続された第１スイッチ（Ｓ１）、第１スイッチ（Ｓ１）とスキャン電極（Ｙ）の間に接続された第３スイッチ（Ｓ３）及びセットダウンパルス/スキャンパルス供給部５３、セットダウンパルス/スキャンパルス供給部６３とスキャン電極（Ｙ）の間に接続されたスキャン基準電圧供給部６４、スキャン基準電圧供給部６４とスキャン電極（Ｙ）の間に接続されたスキャンＩＣ６５を含んでいる。
【００７４】
サステインパルス/セットアップバイアス/セットアップランプ共通電圧源（Ｖｓ）は、セットアップ期間（ＳＵ）の間、スキャン電極（Ｙ）に印加されるセットアップバイアス電圧（Ｖｓ）とセットアップランプ電圧（Ｖｓ）、サステイン期間（ＳＰ）の間、スキャン電極（Ｙ）に印加されるサステインパルス（ＳＵＳＰ）の電圧源である。
【００７５】
サステインパルス/セットアップバイアス供給部６１の第１端子は、基底電圧源とサステインパルス/セットアップバイアス共通電圧源（Ｖｓ）の負極性端子に共通に接続され、サステインパルス/セットアップバイアス供給部６１の第２端子は、サステインパルス/セットアップバイアス共通電圧源（Ｖｓ）の正極性端子と後述するセットアップランプ供給部６２の第１端子と共通に接続され、サステインパルス/セットアップバイアス供給部６１の第３端子は、後述するセットアップランプ供給部６２の第２端子と第１スイッチ（Ｓ１）の一端に共通に接続される。
【００７６】
このようなサステインパルス/セットアップバイアス供給部６１は、サステインパルス/セットアップバイアス/セットアップランプの共通電圧源（Ｖｓ）から供給受けた電圧を利用して複数のスイチング素子を操作することにより、セットアップ期間（ＳＵ）の間、セットアップバイアス電圧（Ｖｓ）とセットアップランプ電圧（Ｖｓ）を含むセットアップ電圧（２Ｖｓ）をスキャン電極（Ｙ）に供給する一方、サステイン期間（ＳＰ）の間、サステインパルス（ＳＵＳＰ）をスキャン電極（Ｙ）に供給する。
【００７７】
セットアップランプ供給部６２は、サステインパルス/セットアップバイアス/セットアップランプ共通電圧源（Ｖｓ）から電源の供給を受けて充電される第１キャパシタ（Ｃ１）及び第１キャパシタ（Ｃ１）に充電された電圧を漸進的に上昇するセットアップランプ電圧で変換して、この変換した電圧をスキャン電極（Ｙ）に供給する第２スイッチ（Ｓ２）を含む。
【００７８】
第１キャパシタ（Ｃ１）の一端は、サステインパルス/セットアップバイアス/セットアップランプ共通電圧源（Ｖｓ）の正極性端子とサステインパルス/セットアップバイアス供給部６１の第２端子に共通に接続され、第１キャパシタ（Ｃ１）の他端は、サステインパルス/セットアップバイアス供給部６１の第３端子と第１スイッチ（Ｓ１）の一端に共通に接続される。
【００７９】
第２スイッチ（Ｓ２）の一端は、サステインパルス/セットアップバイアス/セットアップランプ共通電圧源（Ｖｓ）の正極性端子とサステインパルス/セットアップバイアス供給部６１の第２端子及び第１キャパシタ（Ｃ１）の一端に共通に接続され、第２スイッチ（Ｓ２）の他端は、第１スイッチ（Ｓ１）の他端に接続される。
【００８０】
このようなセットアップランプ供給部６２の作動原理を詳しく説明すれば、次のようである。
セットアップ期間（ＳＵ）の間、サステインパルス/セットアップバイアス供給部６１内部のスイチング操作により、サステインパルス/セットアップバイアス供給部６１の第１端子と第３端子が電気的に接続され、サステインパルス/セットアップバイアス/セットアップランプ共通電圧源（Ｖｓ）と第１キャパシタ（Ｃ１）と基底電圧源及びサステインパルス/セットアップバイアス/セットアップランプ共通電圧源（Ｖｓ）を連結するループが形成されると、第１キャパシタ（Ｃ１）の両端は、Ｖｓレベルに充電される。次に、サステインパルス/セットアップバイアス供給部６１内のスイチング操作により、サステインパルス/セットアップバイアス供給部６１の第２端子と第３端子が電気的に接続され、サステインパルス/セットアップバイアス供給部６１の第３端子と第１スイッチ（Ｓ１）の内部ダイオードを通じて第１ノード（ｎ１）にセットアップバイアス電圧（Ｖｓ）が供給されると、第２スイッチ（Ｓ２）がターンオンされる。第２スイッチ（Ｓ２）がターンオンすると、第１キャパシタ（Ｃ１）に充電されていたＶｓレベルの電圧が、第２スイッチ（Ｓ２）によって漸進的に上昇するセットアップランプ電圧に変換され、この変換された電圧が第１ノード（ｎ１）に供給される。その結果、セットアップバイアス電圧とセットアップランプ電圧が加わったセットアップ電圧が、第１ノード（ｎ１）に供給されるのである。
【００８１】
一方、セットアップランプ電圧を実現する手段である第２スイッチ（Ｓ２）としての電界効果ダイオード（ＦＥＴ）を採用して、第２スイッチ（Ｓ２）のゲート端子に可変抵抗を接続する方法を講ずることができる。
【００８２】
セットアップランプ供給部６２は、サステインパルス/セットアップバイアス/セットアップランプ共通電圧源（Ｖｓ）の正極性端子と第１キャパシタ（Ｃ１）の一端との間に接続された第１ダイオード（Ｄ１）をさらに含むのが望ましい。
【００８３】
このような第１ダイオード（Ｄ１）のアノード端子が、サステインパルス/セットアップバイアス/セットアップランプ共通電圧源（Ｖｓ）の正極性端子に接続され、第１ダイオード（Ｄ１）のカソード端子が、第１キャパシタ（Ｃ１）の一端に接続されることにより、第１キャパシタ（Ｃ１）の一端からサステインパルス/セットアップバイアス/セットアップランプ共通電圧源（Ｖｓ）の正極性端子に向かう逆電流の流れを遮断することができる。
【００８４】
セットダウンパルス/スキャンパルス供給部６３は、セットダウンパルス/スキャンパルス電圧源（Ｖｙ)、第４スイッチ（Ｓ４）、及び第５スイッチ（Ｓ５）を含む。セットダウンパルス/スキャンパルス電圧源（Ｖｙ)の正極性端子は、第１ノード（ｎ１）に接続され、セットダウンパルス/スキャンパルス電圧源（Ｖｙ)の負極性端子は、第４スイッチ（Ｓ４）と第５スイッチ（Ｓ５）に共通に接続される。このようなセットダウンパルス/スキャンパルス供給部６３は、セットダウン期間（ＳＤ）の間、第４スイッチ（Ｓ４）を通じて第２ノード（ｎ２）に、セットダウン電圧（−Ｖｙ）まで漸進的に降下するセットダウンパルスを供給する一方、アドレス期間（ＡＰ）の間、第５スイッチ（Ｓ５）を通じて第２ノード（ｎ２）に負極性のスキャンパルス（ＳＣＮＰ）を供給する。そして、これらのパルスは、さらにスキャン電極に供給される。
【００８５】
スキャン基準電圧供給部６４は、負極性端子が第２ノード（ｎ２）に接続されたスキャン基準電圧源（Ｖｓｃ）と、一端がスキャン基準電圧源（Ｖｓｃ）の正極性端子に接続された第６スイッチ（Ｓ６）と、一端が第６スイッチ（Ｓ６）の他端に接続されかつ他端が第２ノード（ｎ２）に接続された第７スイッチ（Ｓ７）とを含む。 第６スイッチ（Ｓ６）と第７スイッチ（Ｓ７）は、アドレス期間（ＡＰ）の間、タイミングコントローラから供給される制御信号によって切り換えられながら、スキャン基準電圧源（Ｖｓｃ）の電圧を後述するスキャンＩＣ５５に供給する。
【００８６】
スキャンＩＣ６５は、プッシュプル形式に接続されており、サステインパルス/セットアップバイアス供給部６１、セットアップランプ供給部６２、 セットダウン/スキャン電圧供給部６３、スキャン基準電圧供給部６４からそれぞれ供給される各種駆動信号をスキャン電極（Ｙ）に供給している第８スイッチ（Ｓ８）と第９スイッチ（Ｓ９）で構成される。第８スイッチ（Ｓ８）と第９スイッチ（Ｓ９）の間の出力ラインは、スキャン電極ラインの中のいずれか一つに接続される。
【００８７】
図７は、本発明のプラズマ表示装置の一つの実施形態による他のスキャン駆動部を示す図である。
図７に示すように、 本発明によるプラズマ表示装置のスキャン駆動部３８は、一端が接地されたサステインパルス/セットアップバイアス/セットアップランプ/セットダウンパルス/スキャンパルス共通電圧源（Ｖｓ）と、サステインパルス/セットアップバイアス/セットアップランプ/セットダウンパルス/スキャンパルス共通電圧源（Ｖｓ）とスキャン電極（Ｙ） の間に接続されたサステインパルス/セットアップバイアス供給部７１と、サステインパルス/セットアップバイアス供給部７１とスキャン電極（Ｙ）の間に接続されたセットアップランプ供給部７２と、サステインパルス/セットアップバイアス供給部７１とスキャン電極（Ｙ）の間に接続されたセットダウンパルス/スキャンパルス供給部７３と、サステインパルス/セットアップバイアス供給部７１とセットダウンパルス/スキャンパルス供給部７３の間に接続された第１スイッチ（Ｓ１）と、 第１スイッチ（Ｓ１）とスキャン電極（Ｙ）の間に接続された第３スイッチ（Ｓ３）と、セットダウンパルス/スキャンパルス供給部７３とスキャン電極（Ｙ）の間に接続されたスキャン基準電圧供給部７４と、スキャン基準電圧供給部７４とスキャン電極（Ｙ）の間に接続されたスキャンＩＣ７５を含む。
【００８８】
サステインパルス/セットアップバイアス/セットアップランプ/セットダウンパルス/スキャンパルス共通電圧源（Ｖｓ）は、セットアップ期間（ＳＵ）の間、スキャン電極（Ｙ）に印加されるセットアップバイアス電圧（Ｖｓ）とセットアップランプ電圧（Ｖｓ）、セットダウン期間（ＳＤ）の間、スキャン電極（Ｙ）に印加されるセットダウンパルス電圧（−Ｖｓ）、アドレス期間（ＡＤ）の間、スキャン電極（Ｙ）に印加されるスキャンパルス電圧（−Ｖｓ）、及びサステイン期間（ＳＰ）の間、スキャン電極（Ｙ）に印加されるサステインパルス電圧（Ｖｓ）の共通電圧源である。
【００８９】
サステインパルス/セットアップバイアス供給部７１の第１端は、基底電圧源とサステインパルス/セットアップバイアス/セットアップランプ/セットダウンパルス/スキャンパルス共通電圧源（Ｖｓ）の負極性端子に共通に接続され、サステインパルス/セットアップバイアス供給部７１の第２端子は、サステインパルス/セットアップバイアス/セットアップランプ/セットダウンパルス/スキャンパルス共通電圧源（Ｖｓ）の正極性端子と後述するセットアップランプ供給部７２の第１端子に共通に接続され、サステインパルス/セットアップバイアス供給部７１の第３端子は、後述するセットアップランプ供給部７２の第２端子と第１スイッチ（Ｓ１）の一端に共通に接続される。
【００９０】
このようなサステインパルス/セットアップバイアス供給部７１は、サステインパルス/セットアップバイアス/セットアップランプ/セットダウンパルス/スキャンパルス共通電圧源（Ｖｓ）から供給を受けた電圧を利用して複数のスイチング素子を操作することにより、セットアップ期間（ＳＵ）の間、スキャン電極（Ｙ）にセットアップバイアス電圧（Ｖｓ）とセットアップランプ電圧（Ｖｓ）を含むセットアップ電圧（２Ｖｓ）を供給する一方、サステイン期間（ＳＰ）の間、スキャン電極（Ｙ）にサステインパルス電圧（Ｖｓ）を供給する。
【００９１】
セットアップランプ供給部７２は、サステインパルス/セットアップバイアス/セットアップランプ/セットダウンパルス/スキャンパルス共通電圧源（Ｖｓ）から電源の供給を受けて充電される第１キャパシタ（Ｃ１）と、この第１キャパシタ（Ｃ１）に充電された電圧を漸進的に上昇するセットアップランプ電圧で変換して、この変換された電圧をスキャン電極（Ｙ）に供給する第２スイッチ（Ｓ２）とを含む。
【００９２】
第１キャパシタ（Ｃ１）の一端は、サステインパルス/セットアップバイアス/セットアップランプ/セットダウンパルス/スキャンパルス共通電圧源（Ｖｓ）の正極性端子とサステインパルス/セットアップバイアス供給部７１の第２端子に共通に接続され、第１キャパシタ（Ｃ１）の他端は、サステインパルス/セットアップバイアス供給部７１の第３端子と第１スイッチ（Ｓ１）の一端に共通に接続される。
【００９３】
第２スイッチ（Ｓ２）の一端は、サステインパルス/セットアップバイアス/セットアップランプ/セットダウンパルス/スキャンパルス共通電圧源（Ｖｓ）の正極性端子とサステインパルス/セットアップバイアス供給部７１の第２端子及び第１キャパシタ（Ｃ１）の一端に共通に接続され、第２スイッチ（Ｓ２）の他端は、第１スイッチ（Ｓ１）の他端に接続される。
【００９４】
このようなセットアップランプ供給部７２の作動原理を詳しく説明すれば、次のようである。
セットアップ期間（ＳＵ）の間、サステインパルス/セットアップバイアス供給部７１内のスイチング操作により、サステインパルス/セットアップバイアス供給部７１の第１端子と第３端子が電気的に接続され、サステインパルス/セットアップバイアス/セットアップランプ/セットダウンパルス/スキャンパルス共通電圧源（Ｖｓ）、第１キャパシタ（Ｃ１）、基底電圧源、及びサステインパルス/セットアップバイアス/セットアップランプ/セットダウンパルス/スキャンパルス共通電圧源（Ｖｓ）を連結するループが形成されると、第１キャパシタ（Ｃ１）の両端は、Ｖｓレベルに充電される。
【００９５】
次に、サステインパルス/セットアップバイアス供給部７１内のスイチング操作により、サステインパルス/セットアップバイアス供給部７１の第２端子と第３端子が電気的に接続され、サステインパルス/セットアップバイアス供給部７１の第３端子と第１スイッチ（Ｓ１）の内部ダイオードを通じて第１ノード（ｎ１）にセットアップバイアス電圧（Ｖｓ）が供給されると、第２スイッチ（Ｓ２）がターンオンされる。第２スイッチ（Ｓ２）がターンオンされると、第１キャパシタ（Ｃ１）に充電されていたＶｓレベルの電圧が、第２スイッチ（Ｓ２）によって漸進的に上昇するセットアップランプ電圧に変換され、この変換された電圧が第１ノード（ｎ１）に供給される。 その結果、セットアップバイアス電圧とセットアップランプ電圧が加わったセットアップ電圧が、第１ノード（ｎ１）に供給されるのである。
【００９６】
一方、セットアップランプ電圧を実現する手段である第２スイッチ（Ｓ２）としての電界効果ダイオード（ＦＥＴ）を採用して第２スイッチ（Ｓ２）のゲート端子に可変抵抗を接続する方法を講ずることができる。
【００９７】
セットアップランプ供給部７２は、サステインパルス/セットアップバイアス/セットアップランプ/セットダウンパルス/スキャンパルス共通電圧源（Ｖｓ）の正極性端子と第１キャパシタ（Ｃ１）の一端との間に接続された第１ダイオード（Ｄ１）をさらに含むのが望ましい。
【００９８】
このような第１ダイオード（Ｄ１）のアノード端子は、サステインパルス/セットアップバイアス/セットアップランプ/セットダウンパルス/スキャンパルス共通電圧源（Ｖｓ）の正極性端子と接続され、第１ダイオード（Ｄ１）のカソード端子が、第１キャパシタ（Ｃ１）の一端に接続されることにより、第１キャパシタ（Ｃ１）の一端からサステインパルス/セットアップバイアス/セットアップランプ/セットダウンパルス/スキャンパルス共通電圧源（Ｖｓ）の正極性端子に向かう逆電流の流れを遮断することができる。
【００９９】
セットダウンパルス/スキャンパルス供給部７３は、サステインパルス/セットアップバイアス/セットアップランプ/セットダウンパルス/スキャンパルス共通電圧源（Ｖｓ）から電力の供給を受けて充電される第２キャパシタ（Ｃ２）と、この第２キャパシタ（Ｃ２）に充電された電圧を漸進的に降下するセットダウンパルス電圧に変換して、この変換された電圧をスキャン電極（Ｙ）に供給する第４スイッチ（Ｓ４）と、第２キャパシタ（Ｃ２）に充電された電圧を利用してスキャンパルス電圧をスキャン電極（Ｙ）に供給する第５スイッチ（Ｓ５）とを含む。
【０１００】
第１キャパシタ（Ｃ２）の一端は、第１スイッチ（Ｓ１）の他端と接続されて、第２キャパシタの他端（Ｃ２）は、サステインパルス/セットアップバイアス/セットアップランプ/セットダウンパルス/スキャンパルス共通電圧源（Ｖｓ）の負極性端子と接続される。第４スイッチ（Ｓ４）の一端と第５スイッチ（Ｓ５）の一端は、第２キャパシタ（Ｃ２）の他端に共通に接続され、第４スイッチ（Ｓ４）の他端は、第５スイッチ（Ｓ５）の他端に接続される。
【０１０１】
このようなセットダウンパルス/スキャンパルス供給部７３の作動原理を詳しく説明すれば、次のようである。
セットダウン期間（ＳＤ）の間、サステインパルス/セットアップバイアス供給部７１内のスイチング操作により、サステインパルス/セットアップバイアス供給部７１の第２端子と第３端子が電気的に接続され、サステインパルス/セットアップバイアス/セットアップランプ/セットダウンパルス/スキャンパルス共通電圧源（Ｖｓ）と第１スイッチ（Ｓ１）の内部ダイオードと第２キャパシタ（Ｃ２）とサステインパルス/セットアップバイアス/セットアップランプ/セットダウンパルス/スキャンパルス共通電圧源（Ｖｓ）を連結するループが形成されると、第２キャパシタ（Ｃ２）の両端は、Ｖｓレベルに充電される。
【０１０２】
第２キャパシタ（Ｃ２）の両端をＶｓレベルで充電した後、一端が第２キャパシタ（Ｃ２）の他端、すなわち、第２キャパシタ（Ｃ２）の負極性端子に接続された第４スイッチ（Ｓ４）をターンオンさせる。
【０１０３】
第４スイッチ（Ｓ４）がターンオンすると、第２キャパシタ（Ｃ２）に充電されていたＶｓレベルの電圧が第４スイッチ（Ｓ４）によって漸進的に降下するセットダウンパルス電圧に変換されて、第２ノード（ｎ２）に供給される。セットダウンパルス電圧を実現する手段である第４スイッチ（Ｓ４）として電界効果ダイオード（ＦＥＴ）を採用して第４スイッチ（Ｓ４）のゲート端子に可変抵抗を接続する方法を講ずることができる。
【０１０４】
一方、 アドレス期間（ＡＤ）の間、第５スイッチをターンオンさせると、第５スイッチ（Ｓ５）を通じて第２ノード（ｎ２）に−Ｖｓレベルのスキャンパルス電圧が供給される。
【０１０５】
セットダウンパルス/スキャンパルス供給部７３は、サステインパルス/セットアップバイアス/セットアップランプ/セットダウンパルス/スキャンパルス共通電圧源（Ｖｓ）の負極性端子と第２キャパシタ（Ｃ２）の他端との間に接続された第２ダイオード（Ｄ２）をさらに含むのが望ましい。
【０１０６】
このような第２ダイオード（Ｄ２）のアノード端子は、第２キャパシタ（Ｃ２）の他端と接続させて、第２ダイオード（Ｄ２）のカソード端子は、サステインパルス/セットアップバイアス/セットアップランプ/セットダウンパルス/スキャンパルス共通電圧源（Ｖｓ）の負極性端子と接続させることで逆電流の流れを遮断することができる。
【０１０７】
スキャン基準電圧供給部７４は、負極性端子が第２ノード（ｎ２）に接続されたスキャン基準電圧源（Ｖｓｃ）と、一端がスキャン基準電圧源（Ｖｓｃ）の正極性端子に接続された第６スイッチ（Ｓ６）と、一端が第６スイッチ（Ｓ６）の他端に接続されて他端が第２ノード（ｎ２）に接続された第７スイッチ（Ｓ７）とを含む。第６スイッチ（Ｓ６）と第７スイッチ（Ｓ７）は、アドレス期間（ＡＰ）の間タイミングコントローラから供給される制御信号によって切り換えられながら、スキャン基準電圧源（Ｖｓｃ）の電圧を後述するスキャンＩＣ７５に供給する。
【０１０８】
スキャンＩＣ７５は、プッシュプル形式に接続されてサステインパルス/セットアップバイアス供給部７１、セットアップランプ供給部７２、 セットダウン/スキャン電圧供給部７３、スキャン基準電圧供給部７４から供給される各種駆動信号をスキャン電極（Ｙ）に供給する第８スイッチ（Ｓ８）と第９スイッチ（Ｓ９）で構成される。 第８スイッチ（Ｓ８）と第９スイッチ（Ｓ９） の間の出力ラインは、スキャン電極ラインの中のいずれか１つに接続される。
【０１０９】
以上で詳述したように、本発明は、プラズマディスプレイパネルのスキャン電極に供給される複数の駆動電圧の中でサステインパルス電圧、セットアップバイアス電圧、 セットアップランプ電圧、セットダウンパルス電圧及びスキャンパルス電圧を供給する電圧源を選択して共通にすることにより、駆動電圧源の数を減らしてその製造費用を低減することができる。
【図面の簡単な説明】
【０１１０】
【図１】プラズマディスプレイパネルで２５６階調を実現するための８ビートデフォルトコードのサブフィールドパターンを示す図。
【図２】通常的なプラズマディスプレイパネルの駆動波形を示す図。
【図３】従来のプラズマディスプレイパネルのスキャン駆動部を示す図。
【図４】本発明の実施形態によるプラズマ表示装置を示す図。
【図５】本発明のプラズマ表示装置の一つの実施形態によるスキャン駆動部を示す図。
【図６】本発明のプラズマ表示装置の一つの実施形態による他のスキャン駆動部を示す図。
【図７】本発明のプラズマ表示装置の一つの実施形態による他のスキャン駆動部を示す図。
【図８】本発明によるプラズマ表示装置のスキャン電極に供給される多様な形態の第１の駆動波形を示す図である。
【図９】本発明によるプラズマ表示装置のスキャン電極に供給される多様な形態の第２の駆動波形を示す図である。
【図１０】本発明によるプラズマ表示装置のスキャン電極に供給される多様な形態の第３の駆動波形を示す図である。
【符号の説明】
【０１１１】
３６  データ駆動部
３８  スキャン駆動部
４０  サステイン駆動部
４２  タイミングコントローラ
４４  駆動電圧発生部
４５  放電セル
４００  プラズマディスプレイパネル
Ｘ  アドレス電極
Ｙ  スキャン電極
Ｚ  サステイン電極
Ｖｓ  セットアップバイアス電圧
Ｖｒ  セットアップランプ電圧
Ｖｓ  サステインパルス電圧
ＲＰ  リセット期間
ＡＰ  アドレス期間
ＳＰ  サステイン期間
【図１】
2006323343.tif 000003
【図２】
2006323343.tif 000004
【図３】
2006323343.tif 000005
【図４】
2006323343.tif 000006
【図５】
2006323343.tif 000007
【図６】
2006323343.tif 000008
【図７】
2006323343.tif 000009
【図８】
2006323343.tif 000010
【図９】
2006323343.tif 000011
【図１０】
2006323343.tif 000012